(57)【特許請求の範囲】
【請求項１】
格子状に配線された複数のデータ線及び複数の走査線と、前記各データ線と前記各走査線の交差部に対応して配置された電気光学素子と、を備えた電気光学装置であって、
データ線駆動回路、及び副データ線駆動回路を有してなり、
それぞれ異なるデータ線に接続された複数の電気光学素子により画素が構成され、
前記データ線駆動回路は、前記画素を構成する前記複数の電気光学素子のそれぞれに対応するデータ線のすべてに接続され、
前記副データ線駆動回路は、前記画素を構成する前記複数の電気光学素子のうち一部の電気光学素子に対応するデータ線に接続されていることを特徴とする電気光学装置。
【請求項２】
請求項１に記載の電気光学装置において、前記副データ線駆動回路が、デコーダを備えていることを特徴とする電気光学装置。
【請求項３】
請求項１又は２に記載の電気光学装置において、前記データ線駆動回路及び前記副データ線駆動回路のうち少なくともいずれかが、シフトレジスタを備えていることを特徴とする電気光学装置。
【請求項４】
請求項１から３のいずれかに記載の電気光学装置において、前記データ線駆動回路及び前記副データ線駆動回路のうち少なくともいずれかが、ラッチ回路を備えていることを特徴とする電気光学装置。
【請求項５】
請求項１から４のいずれかに記載の電気光学装置において、前記データ線駆動回路及び前記副データ線駆動回路のうち少なくともいずれかが、Ｄ／Ａコンバータ回路を備えていることを特徴とする電気光学装置。
【請求項６】
請求項１から５のいずれかに記載の電気光学装置において、前記副データ線駆動回路には、前記複数のデータ線のうち、表示画面の特定領域に配されたデータ線のみを選択的に接続したことを特徴とする電気光学装置。
【請求項７】
請求項１から６のいずれかに記載の電気光学装置において、赤の発色が可能な前記電気光学素子、緑の発色が可能な前記電気光学素子及び青の発色が可能な前記電気光学素子の３ドットを１画素とすることによりカラー表示が可能となっており、前記副データ線駆動回路には、前記三色のうちの一部の色に対応したデータ線のみを選択的に接続したことを特徴とする電気光学装置。
【請求項８】
請求項７に記載の電気光学装置において、前記副データ線駆動回路には、前記一部の色に対応したデータ線であって、表示画面の特定領域に配されたデータ線のみを選択的に接続したことを特徴とする電気光学装置。
【請求項９】
請求項１から８のいずれかに記載の電気光学装置において、全ドット表示モードとキャラクタ表示モードとの間で切換が可能となっており、前記全ドット表示モードが選択されている場合には、前記データ線駆動回路が有効となり、前記キャラクタ表示モードが選択されている場合には、前記副データ線駆動回路が有効となるようになっていることを特徴とする電気光学装置。
【請求項１０】
請求項１から９のいずれかに記載の電気光学装置において、前記複数の走査線を駆動可能な走査線駆動回路と、前記走査線駆動回路とは別に前記複数の走査線を駆動可能な副走査線駆動回路とを備え、
前記走査線駆動回路には、前記複数の走査線を接続し、前記副走査線駆動回路には、前記複数の走査線のうちの一部のみを選択的に接続したことを特徴とする電気光学装置。
【請求項１１】
請求項１０に記載の電気光学装置において、前記走査線駆動回路及び前記副走査線駆動回路のうち少なくともいずれかが、デコーダを備えていることを特徴とする電気光学装置。
【請求項１２】
請求項１０又は１１に記載の電気光学装置において、前記走査線駆動回路及び前記副走査線駆動回路のうち少なくともいずれかが、シフトレジスタを備えていることを特徴とする電気光学装置。
【請求項１３】
請求項１０から１２のいずれかに記載の電気光学装置において、前記副走査線駆動回路には、前記複数の走査線のうち、表示画面の特定領域に配された走査線のみを選択的に接続したことを特徴とする電気光学装置。
【請求項１４】
請求項１０から１３のいずれかに記載の電気光学装置において、全ドット表示モードとキャラクタ表示モードとの間で切換が可能となっており、前記全ドット表示モードが選択されている場合には、前記データ線駆動回路及び走査線駆動回路が有効となり、前記キャラクタ表示モードが選択されている場合には、前記副データ線駆動回路及び前記副走査線回路が有効となるようになっていることを特徴とする電気光学装置。
【請求項１５】
請求項９又は１４に記載の電気光学装置において、前記キャラクタ表示モードが選択されている場合には、前記全ドット表示モードが選択されている場合に比べて、階調数が減じられるようになっていることを特徴とする電気光学装置。
【請求項１６】
請求項９、１４又は１５のいずれかに記載の電気光学装置において、前記キャラクタ表示モードが選択されている場合には、前記全ドット表示モードが選択されている場合に比べて、フレーム周波数が減じられるようになっていることを特徴とする電気光学装置。
【請求項１７】
請求項９、１４、１５又は１６のいずれかに記載の電気光学装置において、前記全ドット表示モードから前記キャラクタ表示モードに移行する際に全画素を一斉にリセットできるようにしたことを特徴とする電気光学装置。
【請求項１８】
請求項１から１７のいずれかに記載の電気光学装置において、一画面分の走査線が駆動される期間内に、前記データ線駆動回路と前記副データ線回路とを切り替えて前記複数のデータ線を駆動することを特徴とする電気光学装置。
【請求項１９】
請求項１から１８のいずれかに記載の電気光学装置において、前記電気光学素子が有機エレクトロルミネッセンス素子であることを特徴とする電気光学装置。
【請求項２０】
格子状に配線された複数のデータ線及び複数の走査線と、前記各データ線と前記各走査線の交差部に対応して配置された電気光学素子と、を備え、それぞれ異なるデータ線に接続された複数の電気光学素子により画素が構成される電気光学装置の駆動方法であって、
前記画素を構成する電気光学素子のそれぞれに対応するデータ線のすべてを駆動可能なデータ線駆動回路と、前記画素を構成する前記複数の電気光学素子のうち一部の電気光学素子に対応するデータ線を駆動可能な副データ線駆動回路とを切り替えて前記複数のデータ線を駆動することを特徴とする電気光学装置の駆動方法。
【請求項２１】
請求項２０に記載の電気光学装置の駆動方法において、前記副データ線駆動回路が、デコーダを備えていることを特徴とする電気光学装置の駆動方法。
【請求項２２】
請求項２０又は２１に記載の電気光学装置の駆動方法において、前記データ線駆動回路及び前記副データ線駆動回路のうち少なくともいずれかが、シフトレジスタを備えていることを特徴とする電気光学装置の駆動方法。
【請求項２３】
請求項２０から２２のいずれかに記載の電気光学装置の駆動方法において、前記データ線駆動回路及び前記副データ線駆動回路のうち少なくともいずれかが、ラッチ回路を備えていることを特徴とする電気光学装置の駆動方法。
【請求項２４】
請求項２０から２３のいずれかに記載の電気光学装置の駆動方法において、前記データ線駆動回路及び前記副データ線駆動回路のうち少なくともいずれかが、Ｄ／Ａコンバータ回路を備えていることを特徴とする電気光学装置の駆動方法。
【請求項２５】
請求項２０から２４のいずれかに記載の電気光学装置の駆動方法において、前記副データ線駆動回路には、前記複数のデータ線のうち、表示画面の特定領域に配されたデータ線のみを選択的に接続したことを特徴とする電気光学装置の駆動方法。
【請求項２６】
請求項２０から２５のいずれかに記載の電気光学装置の駆動方法において、赤の発色が可能な前記電気光学素子、緑の発色が可能な前記電気光学素子及び青の発色が可能な前記電気光学素子の３ドットを１画素とすることによりカラー表示が可能となっており、前記副データ線駆動回路には、前記三色のうちの一部の色に対応したデータ線のみを選択的に接続したことを特徴とする電気光学装置の駆動方法。
【請求項２７】
請求項２６に記載の電気光学装置の駆動方法において、前記副データ線駆動回路には、前記一部の色に対応したデータ線であって、表示画面の特定領域に配されたデータ線のみを選択的に接続したことを特徴とする電気光学装置の駆動方法。
【請求項２８】
請求項２０から２７のいずれかに記載の電気光学装置の駆動方法において、全ドット表示モードとキャラクタ表示モードとの間で切換が可能となっており、前記全ドット表示モードが選択されている場合には、前記データ線駆動回路が有効となり、前記キャラクタ表示モードが選択されている場合には、前記副データ線駆動回路が有効となるようになっていることを特徴とする電気光学装置の駆動方法。
【請求項２９】
請求項２０から２８のいずれかに記載の電気光学装置の駆動方法において、前記複数の走査線を接続し、当該複数の走査線を駆動可能な走査線駆動回路と、前記複数の走査線のうちの一部のみを選択的に接続し、前記走査線駆動回路とは別に当該一部の走査線を駆動可能な副走査線駆動回路とを切り替えて前記複数の走査線を駆動することを特徴とする電気光学装置の駆動方法。
【請求項３０】
請求項２９に記載の電気光学装置の駆動方法において、前記走査線駆動回路及び前記副走査線駆動回路のうち少なくともいずれかが、デコーダを備えていることを特徴とする電気光学装置の駆動方法。
【請求項３１】
請求項２９又は３０に記載の電気光学装置の駆動方法において、前記走査線駆動回路及び前記副走査線駆動回路のうち少なくともいずれかが、シフトレジスタを備えていることを特徴とする電気光学装置の駆動方法。
【請求項３２】
請求項２９から３１のいずれかに記載の電気光学装置の駆動方法において、前記副走査線駆動回路には、前記複数の走査線のうち、表示画面の特定領域に配された走査線のみを選択的に接続したことを特徴とする電気光学装置の駆動方法。
【請求項３３】
請求項２９から３２のいずれかに記載の電気光学装置の駆動方法において、全ドット表示モードとキャラクタ表示モードとの間で切換が可能となっており、前記全ドット表示モードが選択されている場合には、前記データ線駆動回路及び走査線駆動回路が有効となり、前記キャラクタ表示モードが選択されている場合には、前記副データ線駆動回路及び前記副走査線回路が有効となるようになっていることを特徴とする電気光学装置の駆動方法。
【請求項３４】
請求項２８又は３３に記載の電気光学装置の駆動方法において、前記キャラクタ表示モードが選択されている場合には、前記全ドット表示モードが選択されている場合に比べて、階調数が減じられるようになっていることを特徴とする電気光学装置の駆動方法。
【請求項３５】
請求項２８、３３又は３４のいずれかに記載の電気光学装置の駆動方法において、前記キャラクタ表示モードが選択されている場合には、前記全ドット表示モードが選択されている場合に比べて、フレーム周波数が減じられるようになっていることを特徴とする電気光学装置の駆動方法。
【請求項３６】
請求項２８、３３、３４又は３５のいずれかに記載の電気光学装置の駆動方法において、前記全ドット表示モードから前記キャラクタ表示モードに移行する際に全画素を一斉にリセットできるようにしたことを特徴とする電気光学装置の駆動方法。
【請求項３７】
請求項２０から３６のいずれかに記載の電気光学装置の駆動方法において、一画面分の走査線が駆動される期間内に、前記データ線駆動回路と前記副データ線回路とを切り替えて前記データ線を駆動することを特徴とする電気光学装置の駆動方法。
【請求項３８】
請求項２０から３７のいずれかに記載の電気光学装置の駆動方法において、
１水平走査期間内に前記データ線駆動回路と前記副データ線駆動回路とを切り替えて前記複数のデータ線を駆動することを特徴とする電気光学装置の駆動方法。
【請求項３９】
データを表示する表示装置を備えている電子機器であって、
前記表示装置として、請求項１から１９のいずれかに記載の電気光学装置を使用したことを特徴とする電子機器。
【発明の詳細な説明】
【０００１】
【発明の属する技術分野】
この発明は、電気光学装置及びその駆動方法、（electroluminescence）素子を利用した有機エレクトロルミネッセンス表示装置、並びに電気光学装置や有機エレクトロルミネッセンス表示装置を備えた電子機器に関し、特に、簡易な回路構成で低消費電力化が図られるようにしたものである。
【０００２】
【従来の技術】
電子機器等が備えるデータを表示する電気光学装置として、液晶表示装置、電気泳動装置、及び有機エレクトロルミネッセンス表示装置等が挙げられる。有機エレクトロルミネッセンス表示装置は、電気光学素子である有機エレクトロルミネッセンス素子を利用して構成されており、図１６は、従来の有機エレクトロルミネッセンス表示装置１０の構成を示す図である。なお、図１６には、有機エレクトロルミネッセンス表示装置１０のうち、４本のデータ線Ｘ１〜Ｘ４及び２本の走査線Ｙ１、Ｙ２に関する部分のみを示している。
【０００３】
即ち、この有機エレクトロルミネッセンス表示装置１０は、列方向に延びる複数本のデータ線Ｘ１〜Ｘ４と、行方向に延びる複数本の走査線Ｙ１、Ｙ２と、データ線Ｘ１〜Ｘ４と平行に延び且つ端部は電源ＶDDに接続された共通給電線１１と、を有しており、データ線Ｘ１〜Ｘ４と走査線Ｙ１、Ｙ２との各交点に対応して、発色部としての有機エレクトロルミネッセンス素子１２、…、１２が設けられている。この例では、赤（Ｒ）の発色が可能な有機エレクトロルミネッセンス素子１２、緑（Ｇ）の発色が可能な有機エレクトロルミネッセンス素子１２及び青（Ｂ）の発色が可能な有機エレクトロルミネッセンス素子１２を、最初のデータ線Ｘ１にはＲ、次のデータ線Ｘ２にはＧ、その次のデータ線Ｘ３にはＢ、さらにその次のデータ線Ｘ４にはＲ、という具合に、各データ線Ｘ１〜Ｘ４に順繰りに対応させており、行方向に並んだ赤の発色が可能な有機エレクトロルミネッセンス素子１２、緑の発色が可能な有機エレクトロルミネッセンス素子１２及び青の発色が可能な有機エレクトロルミネッセンス素子１２の３ドットで一つの画素Ｐを構成していて、これによって、この有機エレクトロルミネッセンス表示装置１０はカラー表示が可能となっている。
【０００４】
そして、各有機エレクトロルミネッセンス素子１２の陰極側は接地されるとともに、正孔注入側は、Ｐチャネル型の薄膜ＭＯＳトランジスタ（以下、ＰＭＯＳトランジスタと称す。）１３を介して、共通給電線１１に接続されている。また、ＰＭＯＳトランジスタ１３のゲートと、対応するデータ線Ｘ１〜Ｘ４との間が、Ｎチャネル型の薄膜ＭＯＳトランジスタ（以下、ＮＭＯＳトランジスタと称す。）１４を介して接続されるとともに、ＰＭＯＳトランジスタ１３のゲートと、共通給電線１１との間に、保持容量１５が介在している。さらに、ＮＭＯＳトランジスタ１４のゲートが、対応する走査線Ｙ１、Ｙ２に接続されている。これら有機エレクトロルミネッセンス素子１２、ＰＭＯＳトランジスタ１３、ＮＭＯＳトランジスタ１４及び保持容量１５によって、いわゆるアクティブマトリックス型の表示画面２０が構成されている。
【０００５】
走査線Ｙ１、Ｙ２の端部は、走査線駆動回路３０に接続されている。走査線駆動回路３０は、シフトレジスタ３１と、バッファ３２とによって構成されていて、シフトレジスタ３１の出力がバッファ３２を介して各走査線Ｙ１、Ｙ２に供給されるようになっている。よって、シフトレジスタ３１のシフト動作に同期して、複数の走査線Ｙ１、Ｙ２が順番に選択されて一つずつ充電及び放電を繰り返すようになっている。
【０００６】
これに対し、データ線Ｘ１〜Ｘ４の端部は、データ線駆動回路４０に接続されている。データ線駆動回路４０は、シフトレジスタ４１と、各データ線Ｘ１〜Ｘ４に対応した複数のスイッチング素子４２、…、４２とによって構成されていて、
シフトレジスタ４１の出力がスイッチング素子４２、…、４２に供給されるようになっている。従って、シフトレジスタ４１のシフト動作に同期して、スイッチング素子４２、…、４２が順番に選択されて一つずつオン（導通）及びオフ（遮断）を繰り返すようになっている。
【０００７】
各スイッチング素子４２、…、４２のデータ線Ｘ１〜Ｘ４の逆側は、ビデオ信号線１７Ｒ、１７Ｇ、１７Ｂのいずれかに接続されている。ここで、ビデオ信号線１７Ｒ〜１７Ｂは、赤（Ｒ）、緑（Ｇ）、青（Ｂ）に対応したアナログのビデオ信号電圧ＶIDR 、ＶIDG 、ＶIDB を供給するための信号線であり、表示画面２０に隣接し走査線Ｙ１、Ｙ２と平行に配線されている。よって、各データ線Ｘ１〜Ｘ４は、自己に接続された有機エレクトロルミネッセンス素子１２の発色と同色のビデオ信号電圧ＶIDR 、ＶIDG 、ＶIDB が供給可能となるように、スイッチング素子４２を介して、ビデオ信号線１７Ｒ、１７Ｇ、１７Ｂのいずれかに接続されている。
【０００８】
そして、シフトレジスタ３１のシフト動作の周期は、シフトレジスタ４１のシフト動作によって全てのデータ線Ｘ１、Ｘ２、…、Ｘｎの選択が完了したタイミングで、走査線Ｙｉの選択を終え次の走査線Ｙ（ｉ＋１）の選択に移行できる周期となっている。
【０００９】
以上のような構成であれば、シフトレジスタ３１及びシフトレジスタ４１のシフト動作によって全ての走査線Ｙ１、Ｙ２、…、Ｙｍが順次選択されるとともに、各走査線Ｙ１〜Ｙｍが選択されている間に全てのデータ線Ｘ１、Ｘ２、…、Ｘｎが順次選択されるから、表示画面２０の全画面を利用して画像を出力することができる。なお、各データ線Ｘ１〜Ｘｎにはその選択時に対応するビデオ信号線１７Ｒ〜１７Ｂからビデオ信号電圧ＶIDR 、ＶIDG 、ＶIDB のいずれかが供給され、そのビデオ信号電圧ＶIDR 、ＶIDG 、ＶIDB が、走査線Ｙｉによって選択されているＮＭＯＳトランジスタ１４を介して保持容量１５に蓄えられ、その保持容量１５の充電状態に応じてＰＭＯＳトランジスタ１３のチャネルが制御され、共通給電線１１から各有機エレクトロルミネッセンス素子１２に流れる電流値がビデオ信号電圧ＶIDR 、ＶIDG 、ＶIDB に対応した値となるから、各有機エレクトロルミネッセンス素子１２を所望の輝度で発光させることができる。
【００１０】
【発明が解決しようとする課題】
上記従来の有機エレクトロルミネッセンス表示装置１０であっても、表示画面２０を利用して画像を出力するという動作に関しては特に問題はなく、むしろ、全画面を利用して画像を出力することに関しては非常に効率的な構成であった。
【００１１】
しかしながら、従来の有機エレクトロルミネッセンス表示装置１０では、走査線駆動回路３０によって走査線Ｙ１、Ｙ２、…、Ｙｍの全てを順次駆動させる一方で、データ線駆動回路４０によってデータ線Ｘ１、Ｘ２、…、Ｘｎの全てを順次駆動させる構成であったため、例えば文字や記号等のキャラクタを表示するような場合でも、全画面に対してデータを書き換えなければならなかった。そして、全画面に対してデータを書き換えるためには、上述したように全データ線Ｘ１〜Ｘｎ及び全走査線Ｙ１〜Ｙｍを順次駆動させる必要があるが、特にデータ線Ｘ１〜Ｘｎは、極短い周期で駆動させなければならないため、データ線Ｘ１〜Ｘｎに対しては高速で充電及び放電を繰り返す必要がある。また、走査線Ｙ１〜Ｙｍに関しても、キャラクタを表示しない領域に配線されているものも全て駆動する必要があった。
【００１２】
つまり、上記従来の構成では、文字や記号等のキャラクタを表示する際にも、画像を表示する際と同様に消費電力の大きい動作を行わなければならず、また、キャラクタを表示しない領域についても走査線Ｙ１〜Ｙｍを駆動させる構成であったため、無駄な電力を消費してしまう構成となっていた。
【００１３】
さらに、表示制御をすることに限らず、断線の検査やプリチャージをする場合にも、無駄な電力を消費してしまう構成となっていた。
【００１４】
本発明は、このような従来の技術が有する未解決の課題に着目してなされたものであって、無駄な電力消費を抑えることができる電気光学装置及びその駆動方法、有機エレクトロルミネッセンス表示装置、並びに電子機器を提供することを目的としている。
【００１５】
【課題を解決するための手段】
上記目的を達成するために、本発明の第１の電気光学装置は、格子状に配線された複数のデータ線及び走査線と、前記データ線と前記走査線との各交差部に対応して配置された電気光学素子と、を備えた電気光学装置であって、前記データ線を駆動可能なデータ線駆動回路と、前記データ線駆動回路とは別に前記データ線を駆動可能な副データ線駆動回路と、を備えていることを特徴としている。
【００１６】
本発明の第２の電気光学装置は、本発明の第１の電気光学装置である電気光学装置において、前記データ線駆動回路には、前記複数のデータ線を接続し、前記副データ線駆動回路には、前記複数のデータ線のうちの一部のみを選択的に接続したことを特徴としている。
【００１７】
本発明の第３の電気光学装置は、本発明の第１又は第２の電気光学装置において、前記副データ線駆動回路が、デコーダを備えていることを特徴としている。
【００１８】
本発明の第４の電気光学装置は、本発明の第１から第３の電気光学装置において、前記データ線駆動回路及び前記副データ線駆動回路のうち少なくともいずれかが、シフトレジスタを備えていることを特徴としている。
【００１９】
本発明の第５の電気光学装置は、本発明の第１から第４の電気光学装置において、前記データ線駆動回路及び前記副データ線駆動回路のうち少なくともいずれかが、ラッチ回路を備えていることを特徴としている。
【００２０】
本発明の第６の電気光学装置は、本発明の第１から第５の電気光学装置において、前記データ線駆動回路及び前記副データ線駆動回路のうち少なくともいずれかが、Ｄ／Ａコンバータ回路を備えていることを特徴としている。
【００２１】
本発明の第７の電気光学装置は、本発明の第１から第６の電気光学装置において、前記副データ線駆動回路には、前記複数のデータ線のうち、表示画面の特定領域に配されたデータ線のみを選択的に接続したことを特徴としている。
【００２２】
本発明の第８の電気光学装置は、本発明の第１から第７の電気光学装置において、赤の発色が可能な前記電気光学素子、緑の発色が可能な前記電気光学素子及び青の発色が可能な前記電気光学素子の３ドットを１画素とすることによりカラー表示が可能となっており、前記副データ線駆動回路には、前記三色のうちの一部の色に対応したデータ線のみを選択的に接続したことを特徴としている。
【００２３】
本発明の第９の電気光学装置は、本発明の第８の電気光学装置において、前記副データ線駆動回路には、前記一部の色に対応したデータ線であって、表示画面の特定領域に配されたデータ線のみを選択的に接続したことを特徴としている。
【００２４】
本発明の第１０の電気光学装置は、本発明の第１から第９の電気光学装置において、全ドット表示モードとキャラクタ表示モードとの間で切換が可能となっており、前記全ドット表示モードが選択されている場合には、前記データ線駆動回路が有効となり、前記キャラクタ表示モードが選択されている場合には、前記副データ線駆動回路が有効となるようになっていることを特徴としている。
【００２５】
本発明の第１１の電気光学装置は、本発明の第１から第１０の電気光学装置において、前記複数の走査線を駆動可能な走査線駆動回路と、前記走査線駆動回路とは別に前記複数の走査線を駆動可能な副走査線駆動回路とを備え、前記走査線駆動回路には、前記複数の走査線を接続し、前記副走査線駆動回路には、前記複数の走査線のうちの一部のみを選択的に接続したことを特徴としている。
【００２６】
本発明の第１２の電気光学装置は、本発明の第１１の電気光学装置において、前記走査線駆動回路及び前記副走査線駆動回路のうち少なくともいずれかが、デコーダを備えていることを特徴としている。
【００２７】
本発明の第１３の電気光学装置は、本発明の第１１又は第１２の電気光学装置において、前記走査線駆動回路及び前記副走査線駆動回路のうち少なくともいずれかが、シフトレジスタを備えていることを特徴としている。
【００２８】
本発明の第１４の電気光学装置は、本発明の第１１から第１３の電気光学装置において、前記副走査線駆動回路には、前記複数の走査線のうち、表示画面の特定領域に配された走査線のみを選択的に接続したことを特徴としている。
【００２９】
本発明の第１５の電気光学装置は、本発明の第１１から第１４の電気光学装置において、全ドット表示モードとキャラクタ表示モードとの間で切換が可能となっており、前記全ドット表示モードが選択されている場合には、前記データ線駆動回路及び走査線駆動回路が有効となり、前記キャラクタ表示モードが選択されている場合には、前記副データ線駆動回路及び前記副走査線回路が有効となるようになっていることを特徴としている。
【００３０】
本発明の第１６の電気光学装置は、本発明の第１０又は第１５の電気光学装置において、前記キャラクタ表示モードが選択されている場合には、前記全ドット表示モードが選択されている場合に比べて、階調数が減じられるようになっていることを特徴としている。
【００３１】
本発明の第１７の電気光学装置は、本発明の第１０、第１５及び第１６の電気光学装置において、前記キャラクタ表示モードが選択されている場合には、前記全ドット表示モードが選択されている場合に比べて、フレーム周波数が減じられるようになっていることを特徴としている。
【００３２】
本発明の第１８の電気光学装置は、本発明の第１０、第１５、第１６及び第１７の電気光学装置において、前記全ドット表示モードから前記キャラクタ表示モードに移行する際に全画素を一斉にリセットできるようにしたことを特徴としている。
【００３３】
本発明の第１９の電気光学装置は、本発明の第１から第１８の電気光学装置において、一画面分の走査線が駆動される期間内に、前記データ線駆動回路と前記副データ線回路とを切り替えて前記複数のデータ線を駆動することを特徴としている。
【００３４】
また、上記目的を達成するために、本発明の第１の電気光学装置の駆動方法は、格子状に配線された複数のデータ線及び複数の走査線と、前記複数のデータ線と前記複数の走査線との各交差部に対応して配置された電気光学素子と、を備えた電気光学装置の駆動方法であって、前記複数のデータ線を駆動可能なデータ線駆動回路と、前記データ線駆動回路とは別に前記複数のデータ線を駆動可能な副データ線駆動回路とを切り替えて前記複数のデータ線を駆動することを特徴としている。
【００３５】
本発明の第２の電気光学装置の駆動方法は、本発明の第１の電気光学装置の駆動方法において、前記データ線駆動回路には、前記複数のデータ線を接続し、前記副データ線駆動回路には、前記複数のデータ線のうちの一部のみを選択的に接続したことを特徴としている。
【００３６】
本発明の第３の電気光学装置の駆動方法は、本発明の第１又は第２の電気光学装置の駆動方法において、前記副データ線駆動回路が、デコーダを備えていることを特徴としている。
【００３７】
本発明の第４の電気光学装置の駆動方法は、本発明の第１から第３の電気光学装置の駆動方法において、前記データ線駆動回路及び前記副データ線駆動回路のうち少なくともいずれかが、シフトレジスタを備えていることを特徴としている。
【００３８】
本発明の第５の電気光学装置の駆動方法は、本発明の第１から第４の電気光学装置の駆動方法において、前記データ線駆動回路及び前記副データ線駆動回路のうち少なくともいずれかが、ラッチ回路を備えていることを特徴としている。
【００３９】
本発明の第６の電気光学装置の駆動方法は、本発明の第１から第５の電気光学装置の駆動方法において、前記データ線駆動回路及び前記副データ線駆動回路のうち少なくともいずれかが、Ｄ／Ａコンバータ回路を備えていることを特徴としている。
【００４０】
本発明の第７の電気光学装置の駆動方法は、本発明の第１から第６の電気光学装置の駆動方法において、前記副データ線駆動回路には、前記複数のデータ線のうち、表示画面の特定領域に配されたデータ線のみを選択的に接続したことを特徴としている。
【００４１】
本発明の第８の電気光学装置の駆動方法は、 本発明の第１から第７の電気光学装置の駆動方法において、赤の発色が可能な前記電気光学素子、緑の発色が可能な前記電気光学素子及び青の発色が可能な前記電気光学素子の３ドットを１画素とすることによりカラー表示が可能となっており、前記副データ線駆動回路には、前記三色のうちの一部の色に対応したデータ線のみを選択的に接続したことを特徴としている。
【００４２】
本発明の第９の電気光学装置の駆動方法は、本発明の第８の電気光学装置の駆動方法において、前記副データ線駆動回路には、前記一部の色に対応したデータ線であって、表示画面の特定領域に配されたデータ線のみを選択的に接続したことを特徴としている。
【００４３】
本発明の第１０の電気光学装置の駆動方法は、本発明の第１から第９の電気光学装置の駆動方法において、全ドット表示モードとキャラクタ表示モードとの間で切換が可能となっており、前記全ドット表示モードが選択されている場合には、前記データ線駆動回路が有効となり、前記キャラクタ表示モードが選択されている場合には、前記副データ線駆動回路が有効となるようになっていることを特徴としている。
【００４４】
本発明の第１１の電気光学装置の駆動方法は、本発明の第１から第１０の電気光学装置の駆動方法において、前記複数の走査線を接続し、当該複数の走査線を駆動可能な走査線駆動回路と、前記複数の走査線のうちの一部のみを選択的に接続し、前記走査線駆動回路とは別に当該一部の走査線を駆動可能な副走査線駆動回路とを切り替えて前記複数の走査線を駆動することを特徴としている。
【００４５】
本発明の第１２の電気光学装置の駆動方法は、本発明の第１１の電気光学装置の駆動方法において、前記走査線駆動回路及び前記副走査線駆動回路のうち少なくともいずれかが、デコーダを備えていることを特徴としている。
【００４６】
本発明の第１３の電気光学装置の駆動方法は、本発明の第１１又は第１２の電気光学装置の駆動方法において、前記走査線駆動回路及び前記副走査線駆動回路のうち少なくともいずれかが、シフトレジスタを備えていることを特徴としている。
【００４７】
本発明の第１４の電気光学装置の駆動方法は、本発明の第１１から第１３の電気光学装置の駆動方法において、前記副走査線駆動回路には、前記複数の走査線のうち、表示画面の特定領域に配された走査線のみを選択的に接続したことを特徴としている。
【００４８】
本発明の第１５の電気光学装置の駆動方法は、本発明の第１１から第１４の電気光学装置の駆動方法において、全ドット表示モードとキャラクタ表示モードとの間で切換が可能となっており、前記全ドット表示モードが選択されている場合には、前記データ線駆動回路及び走査線駆動回路が有効となり、前記キャラクタ表示モードが選択されている場合には、前記副データ線駆動回路及び前記副走査線回路が有効となるようになっていることを特徴としている。
【００４９】
本発明の第１６の電気光学装置の駆動方法は、本発明の第１０又は第１５の電気光学装置の駆動方法において、前記キャラクタ表示モードが選択されている場合には、前記全ドット表示モードが選択されている場合に比べて、階調数が減じられるようになっていることを特徴としている。
【００５０】
本発明の第１７の電気光学装置の駆動方法は、本発明の第１０、第１５及び第１６の電気光学装置の駆動方法において、前記キャラクタ表示モードが選択されている場合には、前記全ドット表示モードが選択されている場合に比べて、フレーム周波数が減じられるようになっていることを特徴としている。
【００５１】
本発明の第１８の電気光学装置の駆動方法は、本発明の第１０、第１５、第１６及び第１７の電気光学装置の駆動方法において、前記全ドット表示モードから前記キャラクタ表示モードに移行する際に全画素を一斉にリセットできるようにしたことを特徴としている。
【００５２】
本発明の第１９の電気光学装置の駆動方法は、本発明の第１から第１８の電気光学装置の駆動方法において、一画面分の走査線が駆動される期間内に、前記データ線駆動回路と前記副データ線回路とを切り替えて前記データ線を駆動することを特徴としている。
【００５３】
また、上記目的を達成するために、本発明の第１の有機エレクトロルミネッセンス表示装置は、格子状に配設された複数の行方向配線及び複数のデータ線と、前記複数の行方向配線及び複数のデータ線の各交点に対応して設けられた有機エレクトロルミネッセンス素子と、前記複数のデータ線を駆動可能なデータ線駆動回路と、前記複数の行方向配線を駆動可能な行駆動回路と、を備えた有機エレクトロルミネッセンス表示装置において、
前記データ線駆動回路とは別に、デコーダを含んで構成されたデータ線駆動用の副データ線駆動回路を設け、前記データ線駆動回路には、前記複数のデータ線を接続し、前記副データ線駆動回路には、前記複数のデータ線のうちの一部のみを選択的に接続したことを特徴としている。
【００５４】
本発明の第２の有機エレクトロルミネッセンス表示装置は、格子状に配設された複数の行方向配線及び複数のデータ線と、前記複数の行方向配線及び複数のデータ線の各交点に対応して設けられた有機エレクトロルミネッセンス素子と、前記複数のデータ線を駆動可能なデータ線駆動回路と、前記行方向配線を駆動可能な行駆動回路と、を備えた有機エレクトロルミネッセンス表示装置において、前記データ線駆動回路とは別に、シフトレジスタを含んで構成されたデータ線駆動用の副データ線駆動回路を設け、前記データ線駆動回路には、前記複数のデータ線を接続し、前記副データ線駆動回路には、前記複数のデータ線のうちの一部のみを選択的に接続したことを特徴としている。
【００５５】
本発明の第３の有機エレクトロルミネッセンス表示装置は、本発明の第１又は第２の有機エレクトロルミネッセンス表示装置において、前記データ線駆動回路を、シフトレジスタを含んで構成したことを特徴としている。
【００５６】
本発明の第４の有機エレクトロルミネッセンス表示装置は、本発明の第１から第３の有機エレクトロルミネッセンス表示装置において、前記行駆動回路を、デコーダを含んで構成したことを特徴としている。
【００５７】
本発明の第５の有機エレクトロルミネッセンス表示装置は、本発明の第１から第４の有機エレクトロルミネッセンス表示装置において、前記副データ線駆動回路には、前記複数のデータ線のうち、表示画面の特定領域に配されたデータ線のみを選択的に接続したことを特徴としている。
【００５８】
本発明の第６の有機エレクトロルミネッセンス表示装置は、本発明の第１から第５の有機エレクトロルミネッセンス表示装置において、赤の発色が可能な前記有機エレクトロルミネッセンス素子、緑の発色が可能な前記有機エレクトロルミネッセンス素子及び青の発色が可能な前記有機エレクトロルミネッセンス素子の３ドットを１画素とすることによりカラー表示が可能となっており、前記副データ線駆動回路には、前記三色のうちの一部の色に対応したデータ線のみを選択的に接続したことを特徴としている。
【００５９】
本発明の第７の有機エレクトロルミネッセンス表示装置は、本発明の第６の有機エレクトロルミネッセンス表示装置において、前記一部の色は緑であることを特徴としている。
【００６０】
本発明の第８の有機エレクトロルミネッセンス表示装置は、本発明の第６又は第７の有機エレクトロルミネッセンス表示装置において、前記副データ線駆動回路には、前記一部の色に対応したデータ線であって、表示画面の特定領域に配されたデータ線のみを選択的に接続したことを特徴としている。
【００６１】
本発明の第９の有機エレクトロルミネッセンス表示装置は、本発明の第１から第８の有機エレクトロルミネッセンス表示装置において、全ドット表示モードとキャラクタ表示モードとの間で切換が可能となっており、前記全ドット表示モードが選択されている場合には、前記データ線駆動回路が有効となり、前記キャラクタ表示モードが選択されている場合には、前記副データ線駆動回路が有効となるようになっていることを特徴としている。
【００６２】
本発明の第１０の有機エレクトロルミネッセンス表示装置は、本発明の第１から第８の有機エレクトロルミネッセンス表示装置において、前記行駆動回路とは別に、デコーダを含んで構成された行方向配線駆動用の副行駆動回路を設け、前記行駆動回路には、前記複数の行方向配線を接続し、前記副行駆動回路には、前記複数の行方向配線のうちの一部のみを選択的に接続したことを特徴としている。
【００６３】
本発明の第１１の有機エレクトロルミネッセンス表示装置は、本発明の第１から第８の有機エレクトロルミネッセンス表示装置において、前記行駆動回路とは別に、シフトレジスタを含んで構成された行方向配線駆動用の副行駆動回路を設け、前記行駆動回路には、前記複数の行方向配線を接続し、前記副行駆動回路には、前記複数の行方向配線のうちの一部のみを選択的に接続したことを特徴としている。
【００６４】
本発明の第１２の有機エレクトロルミネッセンス表示装置は、本発明の第１０又は第１１の有機エレクトロルミネッセンス表示装置において、前記副行駆動回路には、前記複数の行方向配線のうち、表示画面の特定領域に配された行方向配線のみを選択的に接続したことを特徴としている。
【００６５】
本発明の第１３の有機エレクトロルミネッセンス表示装置は、本発明の第１１から第１２の有機エレクトロルミネッセンス表示装置において、全ドット表示モードとキャラクタ表示モードとの間で切換が可能となっており、前記全ドット表示モードが選択されている場合には、前記データ線駆動回路及び行駆動回路が有効となり、前記キャラクタ表示モードが選択されている場合には、前記副データ線駆動回路及び前記副行駆動回路が有効となるようになっていることを特徴としている。
【００６６】
本発明の第１４の有機エレクトロルミネッセンス表示装置は、本発明の第９又は第１３の有機エレクトロルミネッセンス表示装置において、前記キャラクタ表示モードが選択されている場合には、前記全ドット表示モードが選択されている場合に比べて、階調数が減じられるようになっていることを特徴としている。
【００６７】
本発明の第１５の有機エレクトロルミネッセンス表示装置は、本発明の第９、第１３及、第１４の有機エレクトロルミネッセンス表示装置において前記キャラクタ表示モードが選択されている場合には、前記全ドット表示モードが選択されている場合に比べて、フレーム周波数が減じられるようになっていることを特徴としている。
【００６８】
本発明の第１６の有機エレクトロルミネッセンス表示装置は、本発明の第９、第１３、第１４及び第１５の有機エレクトロルミネッセンス表示装置において、前記全ドット表示モードから前記キャラクタ表示モードに移行する際に全画素を一斉にリセットできるようにしたことを特徴としている。
【００６９】
また、上記目的を達成するために、本発明の電子機器は、データを表示する表示装置を備えている電子機器であって、前記表示装置は、本発明の第１から第１９の電気光学装置又は本発明の第１から第１６の有機エレクトロルミネッセンス表示装置を使用した電気光学表示装置からなるようにしたことを特徴としている。
【００７０】
ここで、本発明の第１の電気光学装置及び電気光学装置の駆動方法にあっては、本来のデータ線駆動回路の他に、副データ線駆動回路を備えることで、データ線駆動回路と副データ線駆動回路とをデータ線の表示形態等に応じて選択的に利用する、という使用態様が可能となる。すなわち、本来の目的として駆動されるデータ線駆動回路の他に、他の用途、例えば回路等の検査回路やプリチャージ回路としても使用できる副データ線駆動回路を備えて、この副データ線駆動回路が選択的に利用可能になっている。
【００７１】
また、本発明の第２の電気光学装置及び電気光学装置の駆動方法にあっては、副データ線駆動回路には、データ線の一部のみを選択的に接続しているから、全データ線によって表示を行う場合にはデータ線駆動回路を利用し、一部のデータ線によって表示を行う場合には副データ線駆動回路を利用する、という使用態様が可能となる。
【００７２】
また、本発明の第３の電気光学装置及び電気光学装置の駆動方法にあっては、副データ線駆動回路が、デコーダを含んで構成されているから、それに接続されたデータ線のうちの任意のデータ線を選択的に駆駆動させることもできる。
【００７３】
また、本発明の第４の電気光学装置及び電気光学装置の駆動方法にあっては、データ線駆動回路及び副データ線駆動回路のうち少なくともいずれかが、シフトレジスタを含んで構成されているから、シフトレジスタを含んで構成されたデータ線駆動回路又は副データ線駆動回路を動作させるために配線を多く設けなくても済む。
【００７４】
また、本発明の第５の電気光学装置及び電気光学装置の駆動方法にあっては、データ線駆動回路及び副データ線駆動回路のうち少なくともいずれかが、ラッチ回路を含んで構成されているから、例えば、アドレス線を設けることなく、所望のデータ線又は走査線を駆動させることができる。
【００７５】
また、本発明の第６の電気光学装置及び電気光学装置の駆動方法にあっては、データ線駆動回路及び副データ線駆動回路のうち少なくともいずれかが、Ｄ／Ａコンバータ回路を含んで構成されていることから、例えば、電気光学装置自体にＤ／Ａコンバータ回路を備えなくて済む。
【００７６】
また、本発明の第７の電気光学装置及び電気光学装置の駆動方法にあっては、副データ線駆動回路に接続されているデータ線は、画面の特定領域（データ線が画面縦方向に延びているものとすると、例えば、画面の左側、中央、右側といった領域）に配されたデータ線であるから、その副データ線駆動回路を利用してデータ線を駆動させる状況では、画面の特定領域に限って表示を行うことができる。
【００７７】
一方、本発明の第８の電気光学装置及び電気光学装置の駆動方法にあっては、副データ線駆動回路を利用してデータ線を駆動させる状況では、一部の色のみを利用して表示を行うことができる。
【００７８】
そして、本発明の第９の電気光学装置及び電気光学装置の駆動方法にあっては、副データ線駆動回路を利用してデータ線を駆動させる状況では、画面の特定領域に、一部の色のみを利用して表示を行うことができる。
【００７９】
本発明の第１０の電気光学装置及び電気光学装置の駆動方法にあっては、画面を構成する全ドットを利用して画像を出力する全ドット表示モードと、文字や記号等の比較的簡易な図形であるキャラクタを表示するキャラクタ表示モードとの二つの表示モードが選択可能であり、本発明の第８の電気光学装置及び電気光学装置の駆動方法に係る発明の構成を備えている場合には、前者はカラー表示モード、後者は一部色（単色）表示モード、と表現することもできる。
【００８０】
そして、本発明の第１０の電気光学装置及び電気光学装置の駆動方法では、全ドット表示モードを、本来のデータ線駆動回路に対応させ、キャラクタ表示モードを、副データ線駆動回路に対応させている。このため、全ドット表示モードが選択されている状況では、全てのデータ線を利用して表示が行われ、キャラクタ表示モードが選択されている状況では、一部のデータ線を利用して表示が行われることになるから、各表示モードの表示レベルと、利用されるデータ線の本数との整合がとれる。
【００８１】
さらに、本発明の第１１の電気光学装置及び電気光学装置の駆動方法にあっては、本来の行駆動回路の他に、副行駆動回路を有し、その副行駆動回路には、行方向配線の一部のみを選択的に接続しているから、全ての行方向配線によって表示を行う場合には行駆動回路を利用し、一部の行方向配線によって表示を行う場合には副行駆動回路を利用する、という使用態様が可能となる。
【００８２】
さらにまた、本発明の第１２の電気光学装置及び電気光学装置の駆動方法にあっては、走査線駆動回路及び副走査線駆動回路のうち少なくともいずれかが、デコーダを含んで構成されているから、それに接続された走査線のうちの任意の走査線を選択的に駆動させることもできる。
【００８３】
そして、本発明の第１３の電気光学装置及び電気光学装置の駆動方法にあっては、走査線駆動回路及び副走査線駆動回路のうち少なくともいずれかが、シフトレジスタを含んで構成されているから、シフトレジスタを含んで構成された走査線駆動回路及び副走査線駆動回路を動作させるために配線を多く設けなくても済む。
【００８４】
そしてまた、本発明の第１４の電気光学装置及び電気光学装置の駆動方法にあっては、副走査線駆動回路に接続されている走査線は、画面の特定領域（走査線が画面横方向に延びているものとすると、例えば、画面の上段、中段、下段といった領域）に配された走査線であるから、その副走査線駆動回路を利用して走査線を駆動させる状況では、画面の特定領域に限って表示を行うことができる。従って、この本発明の第１４の電気光学装置及び電気光学装置の駆動方法が、上記本発明の第７の電気光学装置及び電気光学装置の駆動方法の構成を備えていれば、画面の左上段、中央上段、右下段、というようなさらに細かい領域を特定領域とすることができる。
【００８５】
本発明の第１５の電気光学装置及び電気光学装置の駆動方法にあっては、全ドット表示モードを、本来の走査線駆動回路に対応させ、キャラクタ表示モードを、副走査線駆動回路に対応させているから、全ドット表示モードが選択されている状況では、全ての走査線を利用して表示が行われ、キャラクタ表示モードが選択されている状況では、一部の走査線を利用して表示が行われることになり、各表示モードの表示レベルと、利用される走査線の本数との整合がとれる。
【００８６】
そして、本発明の第１６の電気光学装置及び電気光学装置の駆動方法にあっては、例えば、キャラクタ表示モードが選択されている場合には、階調数を最低の２（つまり、各電気光学素子は、発色しているか、発色していないかの二状態しかない。）とし、全ドット表示モードが選択されている場合には、階調数を３以上とする、という使用態様も採用できる。
【００８７】
また、本発明の第１７の電気光学装置及び電気光学装置の駆動方法にあっては、キャラクタ表示モードが選択されている場合には、フレーム周波数を減らし、その分、走査線やデータ線の選択期間（駆動させている期間）を長くすることができる。
【００８８】
さらに、本発明の第１８の電気光学装置及び電気光学装置の駆動方法にあっては、一斉にリセットできるようにしたため、画像を消去するために全画面を走査する動作が不要となり、かかる全画面を操作する際に消費される余分な消費電力を抑えることができる。また、キャラクタ表示モードに移行し文字や記号等が表示されたときに、それら文字や記号等の判別を困難にするノイズが画面に残るようなことが防止される。
【００８９】
また、本発明の第１９の電気光学装置及び電気光学装置の駆動方法にあっては、一画面分の走査線が駆動される期間内に、データ線駆動回路と副データ線回路とを切り替えてデータ線を駆動することで、一画面内の表示期間内にデータ線駆動回路による画像と副データ線駆動回路による画像とを表示することができる。例えば、ここで、データ線駆動回路と副データ線駆動回路との駆動時期については、走査線駆動期間の前半にデータ線駆動回路によりデータ線を駆動し、後半に副データ線駆動回路によりデータ線を駆動したり、その逆に、前半に副データ線駆動回路によりデータ線を駆動し、後半にデータ線駆動回路によりデータ線を駆動したりする。
【００９０】
また、本発明の第１の有機エレクトロルミネッセンス表示装置にあっては、本来のデータ線駆動回路の他に、副データ線駆動回路を有し、その副データ線駆動回路には、データ線の一部のみを選択的に接続しているから、全データ線によって表示を行う場合にはデータ線駆動回路を利用し、一部のデータ線によって表示を行う場合には副データ線駆動回路を利用する、という使用態様が可能となる。しかも、副データ線駆動回路は、デコーダを含んで構成されているから、それに接続されたデータ線のうちの任意のデータ線を選択的に駆動させることもできる。
【００９１】
また、本発明の第２の有機エレクトロルミネッセンス表示装置にあっても、副データ線駆動回路を有し、その副データ線駆動回路にデータ線の一部のみを選択的に接続しているから、全データ線によって表示を行う場合にはデータ線駆動回路を利用し、一部のデータ線によって表示を行う場合には副データ線駆動回路を利用する、という使用態様が可能となる。また、この本発明の第２有機エレクトロルミネッセンス表示装置では、副データ線駆動回路は、シフトレジスタを含んで構成されているから、その副データ線駆動回路を動作させるために多くの配線を設けなくても済む。
【００９２】
本発明の第３の有機エレクトロルミネッセンス表示装置にあっては、データ線駆動回路をシフトレジスタを含んで構成しているから、それによって駆動されるデータ線の本数が多数であっても、データ線駆動回路を動作させるための配線数を極端に多くしないで済む。
【００９３】
また、本発明の第４の有機エレクトロルミネッセンス表示装置にあっては、行駆動回路をデコーダによって構成しているため、副データ線駆動回路を利用する場合に、必要な行方向配線だけを駆動させるという使用態様も可能となる。
【００９４】
なお、この本発明の第４の有機エレクトロルミネッセンス表示装置では、本来のデータ線駆動回路を利用して画面全体に画像を出力する場合にも、デコーダによって行方向配線を順に選択し駆動させる必要がある。しかし、行方向配線の駆動周期は、データ線の駆動周期に比べて大幅に長いため、デコーダに接続されるアドレス選択用の配線が多数であっても、それらアドレス選択用の配線の充電及び放電の周期が極端に短くなる訳ではないから、アドレス選択用の配線の駆動に伴って消費電力が極端に大きくなるようなことはない。
【００９５】
そして、本発明の第５の有機エレクトロルミネッセンス表示装置にあっては、副データ線駆動回路に接続されているデータ線は、画面の特定領域（データ線が画面縦方向に延びているものとすると、例えば、画面の左側、中央、右側といった領域）に配されたデータ線であるから、その副データ線駆動回路を利用してデータ線を駆動させる状況では、画面の特定領域に限って表示を行うことができる。
【００９６】
一方、本発明の第６の有機エレクトロルミネッセンス表示装置にあっては、副データ線駆動回路を利用してデータ線を駆動させる状況では、一部の色のみを利用して表示を行うことができる。特に、本発明の第７の有機エレクトロルミネッセンス表示装置では、副データ線駆動回路を利用してデータ線を駆動させる状況では、現在報告されている有機ＥＬ材料の中で最も発光輝度及び発光効率の良い緑（Ｇ）によって表示が行われる。
【００９７】
そして、本発明の第８の有機エレクトロルミネッセンス表示装置にあっては、副データ線駆動回路を利用してデータ線を駆動させる状況では、画面の特定領域に、一部の色のみを利用して表示を行うことができる。
【００９８】
本発明の第９の有機エレクトロルミネッセンス表示装置にあっては、画面を構成する全ドットを利用して画像を出力する全ドット表示モードと、文字や記号等の比較的簡易な図形であるキャラクタを表示するキャラクタ表示モードとの二つの表示モードが選択可能であり、本発明の第６又は第７の有機エレクトロルミネッセンス表示装置の構成を備えている場合には、前者はカラー表示モード、後者は一部色（単色）表示モード、と表現することもできる。
【００９９】
そして、本発明の第９の有機エレクトロルミネッセンス表示装置では、全ドット表示モードを、本来のデータ線駆動回路に対応させ、キャラクタ表示モードを、副データ線駆動回路に対応させている。このため、全ドット表示モードが選択されている状況では、全てのデータ線を利用して表示が行われ、キャラクタ表示モードが選択されている状況では、一部のデータ線を利用して表示が行われることになるから、各表示モードの表示レベルと、利用されるデータ線の本数との整合がとれる。
【０１００】
さらに、本発明の第１０の有機エレクトロルミネッセンス表示装置にあっては、本来の行駆動回路の他に、副行駆動回路を有し、その副行駆動回路には、行方向配線の一部のみを選択的に接続しているから、全ての行方向配線によって表示を行う場合には行駆動回路を利用し、一部の行方向配線によって表示を行う場合には副行駆動回路を利用する、という使用態様が可能となる。しかも、副行駆動回路は、デコーダを含んで構成されているから、それに接続された行方向配線のうちの任意の行方向配線を選択的に駆動させることもできる。
【０１０１】
また、本発明の第１１の有機エレクトロルミネッセンス表示装置にあっても、副行駆動回路を有し、その副行駆動回路に行方向配線の一部のみを選択的に接続しているから、全ての行方向配線によって表示を行う場合には行駆動回路を利用し、一部の行方向配線によって表示を行う場合には副行駆動回路を利用する、という使用態様が可能となる。また、この本発明の第１１の有機エレクトロルミネッセンス表示装置では、副行駆動回路は、シフトレジスタを含んで構成されているから、その副行駆動回路を動作させるために多くの配線を設けなくても済む。
【０１０２】
そして、本発明の第１２の有機エレクトロルミネッセンス表示装置にあっては、副行駆動回路に接続されている行方向配線は、画面の特定領域（行方向配線が画面横方向に延びているものとすると、例えば、画面の上段、中段、下段といった領域）に配された行方向配線であるから、その副行駆動回路を利用して行方向配線を駆動させる状況では、画面の特定領域に限って表示を行うことができる。従って、この本発明の第１２の有機エレクトロルミネッセンス表示装置が、上記本発明の第５の有機エレクトロルミネッセンス表示装置の構成を備えていれば、画面の左上段、中央上段、右下段、というようなさらに細かい領域を特定領域とすることができる。
【０１０３】
本発明の第１３の有機エレクトロルミネッセンス表示装置にあっては、全ドット表示モードを、本来の行駆動回路に対応させ、キャラクタ表示モードを、副行駆動回路に対応させているから、全ドット表示モードが選択されている状況では、全ての行方向配線を利用して表示が行われ、キャラクタ表示モードが選択されている状況では、一部の行方向配線を利用して表示が行われることになり、各表示モードの表示レベルと、利用される行方向配線の本数との整合がとれる。
【０１０４】
そして、本発明の第１４の有機エレクトロルミネッセンス表示装置にあっては、例えば、キャラクタ表示モードが選択されている場合には、階調数を最低の２（つまり、各有機ＥＬ素子は、発色しているか、発色していないかの二状態しかない。）とし、全ドット表示モードが選択されている場合には、階調数を３以上とする、という使用態様も採用できる。
【０１０５】
また、本発明の第１５の有機エレクトロルミネッセンス表示装置にあっては、キャラクタ表示モードが選択されている場合には、フレーム周波数を減らし、その分、行方向配線やデータ線の選択期間（駆動させている期間）を長くすることができる。
【０１０６】
さらに、本発明の第１６の有機エレクトロルミネッセンス表示装置にあっては、一斉にリセットできるようにしたため、画像を消去するために全画面を走査する動作が不要となり、かかる全画面を操作する際に消費される余分な消費電力を抑えることができる。また、キャラクタ表示モードに移行し文字や記号等が表示されたときに、それら文字や記号等の判別を困難にするノイズが画面に残るようなことが防止される。
【０１０７】
本発明の第２０の電気光学装置の駆動方法は、１水平走査期間内に前記データ線駆動回路と前記副データ線駆動回路とを切り替えて前記データ線を駆動することを特徴とする。例えば、１水平走査期間内に画像信号などのデータ数の多い情報を前記データ線駆動回路を介して供給する期間と、文字情報を前記副データ線駆動回路を介して供給する期間と、を設けることができる。この場合、画像信号などデータ数の多い情報を供給する期間を、文字情報を供給する期間に比べて長めに設定することが好ましい。
【０１０８】
また、本発明の電子機器は、データを表示する表示装置を備えている電子機器であり、表示装置として、上記本発明の第１から第１９の電気光学装置又は上記本発明の第１から第１６の有機エレクトロルミネッセンス表示装置を使用したことで、本発明が適用されたことによる電気光学装置又は有機エレクトロルミネッセンス表示装置における上記効果をもつことができる。
【０１０９】
【発明の実施の形態】
以下、本発明の実施の形態を図面に基づいて説明する。
【０１１０】
図１は本発明の第１の実施の形態の構成を示す図であって、有機エレクトロルミネッセンス表示装置１０の構成を示す回路図である。なお、図１６に示した従来の有機エレクトロルミネッセンス表示装置と同じ構成には同じ符号を付し、その同じ構成に関する詳細な説明は省略する。
【０１１１】
即ち、本実施の形態の有機エレクトロルミネッセンス表示装置１０であっても、複数のデータ線Ｘ１、Ｘ２、…、Ｘｎと、行方向配線としての複数の走査線Ｙ１、Ｙ２、…、Ｙｍとが格子状に配設され、それらデータ線Ｘ１〜Ｘｎと走査線Ｙ１〜Ｙｍとの各交点に、図１６の場合と同様にＲ、Ｇ、Ｂの各色に対応した有機エレクトロルミネッセンス素子や保持容量等が配されており、そして、データ線Ｘ１〜Ｘｎ用のデータ線駆動回路４０と、走査線Ｙ１〜Ｙｍ駆動用の、行駆動回路としての走査線駆動回路３０とを備えている。
【０１１２】
但し、本実施の形態では、走査線駆動回路３０は、シフトレジスタではなく、デコーダ３３を含んで構成されている。従って、デコーダ３３の動作を適宜制御することにより、走査線Ｙ１〜Ｙｍをシフトレジスタを用いた場合と同様に順番に駆動させることも可能であるし、任意の走査線Ｙ１〜Ｙｍを任意のタイミングで駆動させることも可能である。
【０１１３】
また、データ線駆動回路４０のシフトレジスタ４１にはイネーブル信号ＥnblXが供給され、走査線駆動回路３０のデコーダ３３にはイネーブル信号ＥnblYが供給されるようになっている。ここで、データ線駆動回路４０は、例えば、画素部とされる表示画面２０と同一基板上に一体とされて配置されている。
【０１１４】
イネーブル信号ＥnblX及びＥnblYは、通常はローレベル（論理値“０”）の信号であって、ローレベルのイネーブル信号ＥnblX及びＥnblYが供給されている間は、シフトレジスタ４１及びデコーダ３３は、通常の動作を行うようになっている。これに対し、ハイレベル（論理値“１”）のイネーブル信号ＥnblXが供給されているシフトレジスタ４１は、スイッチング素子４２の全てを同時にオン状態とするようになっており、ハイレベルのイネーブル信号ＥnblYが供給されているデコーダ３３は、全ての走査線Ｙ１〜Ｙｍを同時に駆動させるようになっている。
【０１１５】
なお、ハイレベルのイネーブル信号ＥnblXが生成されている間は、ビデオ信号線１７Ｒ〜１７Ｂ上のビデオ信号電圧ＶIDR 、ＶIDG 、ＶIDB は、全てハイレベル（アナログ電圧信号であるため、正確には、取り得る範囲の最高電位）に固定されるようになっている。
【０１１６】
また、この有機エレクトロルミネッセンス表示装置１０は、ビデオ信号線１７Ｒ〜１７Ｂ上のビデオ信号電圧ＶIDR 、ＶIDG 、ＶIDBをアナログ信号としてデータ線Ｘ１〜Ｘｎ用に出力するいわゆるアナログ階調方式を採用しており、この場合、Ｄ／Ａコンバータ回路を備えることになるが、Ｄ／Ａコンバータ回路は、例えば、データ線駆動回路４０が備えてもよく、或いは、シフトレジスタ４１とスイッチング素子４２、…、４２が表示画面２０に一体とされた一体とされたデータ線駆動回路４０とは別に配置されて、外付けのＩＣドライバの一部としてされているような構成でもよい。
【０１１７】
そして、有機エレクトロルミネッセンス表示装置１０は、データ線駆動回路４０とは別に、副データ線駆動回路５０を備えている。この副データ線駆動回路５０は、例えば、表示画面２０と同一基板上に一体とされて配置されている。
【０１１８】
副データ線駆動回路５０は、デコーダ５１と、複数のスイッチング素子５２、…、５２とを含んで構成されていて、デコーダ５１の出力がスイッチング素子５２、…、５２に供給されるようになっている。従って、デコーダ５１の出力に応じて、任意のスイッチング素子５２、…、５２が任意のタイミングでオン・オフするようになっている。
【０１１９】
スイッチング素子５２、…、５２の一端側は、データ線Ｘ１〜Ｘｎのうち、緑（Ｇ）の発色が可能な有機エレクトロルミネッセンス素子に対応したデータ線Ｘ２、Ｘ５、Ｘ８、…、Ｘ（ｎ−１）に接続されている。つまり、データ線駆動回路４０には、データ線Ｘ１〜Ｘｎの全てが接続されているが、副データ線駆動回路５０には、データ線Ｘ１〜Ｘｎの一部であるＧの発色が可能な有機エレクトロルミネッセンス素子に対応したデータ線Ｘ２、Ｘ５、Ｘ８、…、Ｘ（ｎ−１）のみが選択的に接続されている。
【０１２０】
また、スイッチング素子５２、…、５２の他端側は、有機エレクトロルミネッセンス素子を発色させるためのキャラクタ表示用電圧ＶCHR が供給される電源配線５３に接続されている。なお、本実施の形態では、従来（図１６参照）と同様に、有機エレクトロルミネッセンス素子１２と共通給電線１１との間にＰＭＯＳトランジスタ１３を設けた構成であるから、キャラクタ表示用電圧ＶCHR は、有機エレクトロルミネッセンス素子を発光させる際にはローレベルの電圧（例えば、接地電圧）となり、有機エレクトロルミネッセンス素子を消灯させる際にはハイレベルの電圧となる。
【０１２１】
本実施の形態の有機エレクトロルミネッセンス表示装置１０の基本構成は上記の通りであるが、その使用態様としては、表示画面２０の全ドットを使用して画像を表示するモード（全ドット表示モード、若しくはカラー表示モード）と、表示画面２０のうち緑（Ｇ）のみを発光させて文字や記号等を表示するモード（キャラクタ表示モード、若しくは単色表示モード）との、二つのモードを設定し使い分ける態様が考えられる。
【０１２２】
そして、前者のカラー表示モードは、走査線駆動回路３０とデータ線駆動回路４０とが有効となって表示画面２０の表示制御が行われ、後者の単色表示モードでは、走査線駆動回路３０と副データ線駆動回路５０とが有効となって表示画面２０の表示制御が行われるようにする。
【０１２３】
この場合、カラー表示モードでは、アナログ電圧であるビデオ信号電圧ＶIDR 、ＶIDG 、ＶIDB によって発光が制御されることになるから、各色毎に例えば８段階の階調が与えられる。これに対し、単色モードでは、ローレベル及びハイレベルの二段階に変化するキャラクタ表示用電圧ＶCHR によって発光が制御されることになるから、有機エレクトロルミネッセンス素子には、発色しているか、発色していないかの二状態しかない、つまり階調数は２となっている。このように、単色表示モードが選択されている場合には、カラー表示モードが選択されている場合に比べて、階調数が減じられることになる。
【０１２４】
図２は、本実施の形態における有機エレクトロルミネッセンス表示装置１０の各信号の状態を示す波形図であって、カラー表示モード選択期間Ｔ１から単色表示モード選択期間Ｔ２に移行する際を示している。
【０１２５】
カラー表示モード選択期間Ｔ１では、走査線駆動回路３０及びデータ線駆動回路４０が有効となっていて、走査線駆動回路３０のデコーダ３３が各走査線Ｙ１〜Ｙｍを順番に駆動するとともに、走査線Ｙ１〜Ｙｍの一つが駆動されている間に、データ線駆動回路４０のシフトレジスタ４１が、スイッチング素子４２、…、４２を順番に一つずつオンとする動作を全てのスイッチング素子４２、…、４２に対して行う。図２のカラー表示モード選択期間Ｔ１では、走査線Ｙ１〜Ｙ６が順番に駆動されている様子が示されており、実際には、全ての走査線Ｙ１〜Ｙｍが同様に駆動され、一つの走査線Ｙｉが駆動されている間に、全てのデータ線Ｘ１〜Ｘｎが一つずつ順番に高速で駆動される。
【０１２６】
また、カラー表示モード選択期間Ｔ１では、走査線Ｙ１〜Ｙｍ及びデータ線Ｘ１〜Ｘｎの駆動タイミングに同期し、表示したい画像データを各画素毎及び原色毎にアナログ電圧で表現したビデオ信号電圧ＶIDR 、ＶIDG 、ＶIDB が、高速で切り換えられる。
【０１２７】
このため、データ線駆動回路４０によるデータ線Ｘ１〜Ｘｎの駆動が一巡する毎に、一つの走査線Ｙｉ分の画像データが表示画面２０に出力され、走査線駆動回路３０による走査線Ｙ１〜Ｙｍの駆動が一巡する毎に、全画面分の画像データが表示画面２０に出力される。
【０１２８】
カラー表示モード選択期間Ｔ１から単色表示モード期間Ｔ２に移行するときには、先ず、それまでローレベルであったイネーブル信号ＥnblX及びＥnblYが、ハイレベルとなる。すると、デコーダ回路３３は全ての走査線Ｙ１〜Ｙｍを同時に駆動させ、シフトレジスタ４１は全てのスイッチング素子４２、…、４２をオン状態とする。このとき、ビデオ信号電圧ＶIDR 、ＶIDG 、ＶIDB もハイレベルに固定される。よって、表示画面２０内の全ての保持容量にハイレベルの電圧が充電されて、有機エレクトロルミネッセンス素子と共通給電線との間が遮断されるから、全ての有機エレクトロルミネッセンス素子は非発光状態となる。つまり、表示画面２０内の全ての画素が一斉にリセットされることになる。
【０１２９】
かかるリセット動作が保証される時間が経過した後に、ハイレベルであったイネーブル信号ＥnblX及びＥnblYは再びローレベルに戻り、それ以降はローレベルに固定される。イネーブル信号ＥnblX及びＥnblYがローレベルに戻ると、デコーダ回路３１は全ての走査線Ｙ１〜Ｙｍを同時にローレベルに戻し、シフトレジスタ４１は全てのスイッチング素子４２、…、４２を同時にオフ状態に戻す。このとき、ビデオ信号電圧ＶIDR 、ＶIDG 、ＶIDB もローレベルに戻され、それ以降はローレベルに固定される。
【０１３０】
次に、データ線駆動回路４０の代わりに、副データ線駆動回路５０が有効となり、単色表示モード期間Ｔ２における表示制御が開始される。
【０１３１】
そして、単色表示モード期間Ｔ２では、デコーダ３３により任意の走査線Ｙ１〜Ｙｍが任意のタイミングで駆動され、デコーダ５１によりＧに対応した任意のデータ線Ｘ２、Ｘ５、Ｘ８、…、Ｘ（ｎ−１）と電源配線５３との間が任意のタイミングで接続されることになるから、任意の保持容量に任意のタイミングで充電を行うことができる。このとき、電源配線５３にはローレベルのキャラクタ表示用電圧ＶCHR が供給されているから、デコーダ３３及び５１によって選択された保持容量には、ローレベルの電圧が保持され、有機エレクトロルミネッセンス素子と共通給電線との間が導通して、その有機エレクトロルミネッセンス素子は発光状態となる。
【０１３２】
つまり、単色表示モード期間Ｔ２では、任意のドット（但し、Ｇのみ）だけを点灯することができるから、表示したい文字や記号等のキャラクタの形状に合わせて任意のドットを点灯させることにより、表示画面２０にキャラクタが出力される。
【０１３３】
このように、電源配線５３にローレベルのキャラクタ表示用電圧ＶCHR を供給した状態で、ランダムアクセスが可能なデコーダ３３及び５１によって消灯している任意のドットを選択すると、そのドットは消灯状態から点灯状態に移行するし、また、電源配線５３にハイレベルのキャラクタ表示用電圧ＶCHR を供給した状態でデコーダ３３及び５１によって点灯している任意のドットを選択すると、そのドットは点灯状態から消灯状態に移行するから、キャラクタを新たに表示した部分や書き換えたい部分だけを順次選択しながらキャラクタ表示を行うことができる。
【０１３４】
従って、本実施の形態の構成であれば、単色表示モード期間Ｔ２でキャラクタ表示を行う際には、必要な走査線Ｙ１〜Ｙｍ及びデータ線Ｘ２、Ｘ５、…、Ｘｎだけを駆動させれば済むため、表示に関係しない領域に配線された走査線やデータ線を無駄に駆動させる必要がなく、その分、消費電力の低減が図られる。
【０１３５】
また、駆動させる必要のある走査線及びデータ線の本数が少なくなれば、フレーム周波数を減らすことも可能であり、フレーム周波数が減った分、走査線Ｙ１〜Ｙｍやデータ線Ｘ２、Ｘ５、…、Ｘｎの選択期間を長くできる（図２には、カラー表示モード期間Ｔ１に比べて単色表示モード期間Ｔ２の方が、走査線の選択期間が長くなっている様子が示されている。）から、充電や放電に要する時間を長く設定でき、高速で駆動させる場合に比べて消費電力を低減することができる。
【０１３６】
さらに、本実施の形態では、単色表示モード期間Ｔ２では、単色（Ｇのみ）でキャラクタを表示するようになっており、しかも階調数を２として中間調を使用しないようになっているから、フルカラーでキャラクタを表示していた従来の有機エレクトロルミネッセンス表示装置に比べて、消費電力を大幅に低減することができる。
【０１３７】
また、単色表示モードでは緑（Ｇ）を利用する構成であり、現在実用に供されているＧの発光材料は、Ｒの発光材料やＢの発光材料に比べて、図３に示すように発光輝度に優れるとともに、図４に示すように発光効率にも優れている。このため、キャラクタを表示する際に同程度の輝度や発光量を得るためには、本実施の形態のようにＧの発光材料を利用することが、他の材料を利用することに比べて最も消費電力を小さくできるのである。
【０１３８】
以上のように、本実施の形態の構成であれば、種々の点で消費電力の低減が図られているから、全体として、従来の有機エレクトロルミネッセンス表示装置に比べて、格別の低消費電力化を図ることができ、その結果、携帯情報端末（携帯電話）のように少しでも消費電力の低減が必要な電子機器用の表示装置として特に好適である。
【０１３９】
図５は、本発明の第２の実施の形態を示す図であって、有機エレクトロルミネッセンス表示装置１０の構成を示す回路図である。なお、上記第１の実施の形態と同じ構成には、同じ符号を付し、その重複する説明は省略する。
【０１４０】
先ず、本実施の形態の有機エレクトロルミネッセンス表示装置１０の基本的な構成は、上記第１の実施の形態と同様であり、異なるのは、走査線駆動回路３０を、シフトレジスタ３１を含んで構成した点と、副データ線駆動回路５０に、Ｇの発色が可能な有機エレクトロルミネッセンス素子に対応したデータ線Ｘ２、Ｘ５、Ｘ８、…、Ｘ（ｎ−１）のうちの一部のみを選択的に接続した点と、走査線駆動回路３０とは別に、副行駆動回路としての副走査線駆動回路６０を設けた点と、の三つである。
【０１４１】
即ち、走査線駆動回路３０は、図１６に示した従来の有機エレクトロルミネッセンス表示装置１０の場合と同様に、シフトレジスタ３１及びバッファ３２によって構成されている。但し、シフトレジスタ３１には、上記第１の実施の形態と同様のイネーブル信号ＥnblYが入力されるようになっており、ハイレベルのイネーブル信号ＥnblYが入力されると、シフトレジスタ３１は、全ての走査線Ｙ１〜Ｙｍを同時に駆動させるようになっている。
【０１４２】
また、副データ線駆動回路５０のデコーダ５１は、スイッチング素子５２のオン・オフを制御するようになっていることは上記第１の実施の形態と同様であるが、スイッチング素子５２を介して電源配線５３に接続可能となっているデータ線を、Ｇの発色が可能な有機エレクトロルミネッセンス素子に対応したデータ線Ｘ２、Ｘ５、Ｘ８、…、Ｘ（ｎ−１）の全てではなく、表示画面２０の特定領域に配されたデータ線（図５では、データ線Ｘ５、Ｘ８）のみとしている。
【０１４３】
そして、副走査線駆動回路６０は、デコーダ６１と、バッファ６２とで構成されており、バッファ６２の出力側には、走査線Ｙ１〜Ｙｍのうち表示画面２０の特定領域に配された走査線（図５では、走査線Ｙ２、Ｙ３、Ｙ５、Ｙ６）のみが選択的に接続されている。従って、副走査線駆動回路６０が有効になっている状況では、デコーダ６１の出力に応じて、一部の走査線Ｙ２、Ｙ３、Ｙ５、Ｙ６、…のうちの任意の走査線が任意のタイミングで駆動できるようになっている。
【０１４４】
本実施の形態の構成であっても、カラー表示モード期間Ｔ１では、走査線駆動回路３０及びデータ線駆動回路４０が有効となって、従来の有機エレクトロルミネッセンス表示装置と同様の表示制御が行われる。
【０１４５】
そして、単色表示モード期間Ｔ２に移行する際には、上記第１の実施の形態と同様に、イネーブル信号ＥnblX及びＥnblYがハイレベルとなり、シフトレジスタ３１によって全ての走査線Ｙ１〜Ｙｍが同時に駆動され、シフトレジスタ４１によって全てのスイッチング素子４２、…、４２がオン状態となり、ビデオ信号電圧ＶIDR 、ＶIDG 、ＶIDB もハイレベルに固定され、表示画面２０内の全ての画素が一斉にリセットされる。
【０１４６】
次いで、イネーブル信号ＥnblX及びＥnblYがローレベルに戻った後に、副走査線駆動回路６０及び副データ線駆動回路５０が有効となる。
【０１４７】
よって、デコーダ６１により一部の走査線Ｙ２、Ｙ３、Ｙ５、Ｙ６、…のうちの任意の走査線が意のタイミングで駆動され、デコーダ５１によりＧに対応した任意のデータ線Ｘ５、Ｘ８、…、と電源配線５３との間が任意のタイミングで接続されることになるから、表示画面２０の特定領域に配されたドットに対応する任意の保持容量に任意のタイミングで充電を行うことができる。
【０１４８】
つまり、単色表示モード期間Ｔ２では、表示画面２０の特定領域に配された任意のドット（但し、Ｇのみ）だけを点灯することができるから、その表示したい文字や記号等のキャラクタの形状に合わせて任意のドットを点灯させることにより、表示画面２０の特定領域にキャラクタが出力される。
【０１４９】
このように、上記第１の実施の形態では表示画面２０の全面、この第２の実施の形態では表示画面２０の特定領域、という違いはあるものの、本実施の形態であっても、上記第１の実施の形態と同様の作用効果が得られる。
【０１５０】
そして、本実施の形態にあっては、カラー表示モード期間Ｔ１では、シフトレジスタ３１を備えた走査線駆動回路３０を利用し、単色表示モード期間Ｔ２ではデコーダ６１を備えた副走査線駆動回路６０を利用するようにしており、その副走査線駆動回路６０には一部の走査線のみを駆動できるようにしているから、走査線駆動回路３０をデコーダで構成した上記第１の実施の形態に比べて、配線数を大幅に少なくすることができ、デコーダ６１を駆動させるための消費電力はデコーダ３３を駆動させるための消費電力よりも少なくて済むから、有機エレクトロルミネッセンス表示装置１０のさらなる消費電力の低減が図られるようになっている。
【０１５１】
また、副データ線駆動回路５０に関しても、デコーダ５１によってオン・オフが制御されるスイッチング素子５２の個数が上記第１の実施の形態よりも少なくなっているから、その分、配線数が少なくなって消費電力の低減が図られるようになっている。
【０１５２】
図６及び図７は本発明の第３の実施の形態を示す図であり、図６は、有機エレクトロルミネッセンス表示装置１０の構成を示す回路図である。なお、上記第１、２の実施の形態と同じ構成には、同じ符号を付し、その重複する説明は省略する。
【０１５３】
即ち、本実施の形態の有機エレクトロルミネッセンス表示装置１０は、各画素Ｐ毎の発光状態をディジタルデータによって制御するために、各ドット毎に複数ビット（この例では、６ビット）の情報量を有するデータ線Ｘ１、Ｘ２、Ｘ３、…、Ｘｎが配されており、また、行方向には、行方向配線としての書き込み制御線Ｗｉ、／Ｗｉと、後述のインバータを動作させるための電源線ＶDD、ＶSSと、有機エレクトロルミネッセンス素子を発光させるための給電線ＶOエレクトロルミネッセンス とが配されている。
【０１５４】
図７は、有機エレクトロルミネッセンス素子１２を発光させる回路構成を示した回路図であって、同図に示すように、６ビットの配線ｄ０〜ｄ５からなるデータ線Ｘｉと、互いに相補の関係にある二本の書き込み制御線Ｗｉ、／Ｗｉとの交点に対応して、６ビットのディジタル情報を記憶可能な記憶回路７０が設けられている。
【０１５５】
記憶回路７０の１ビット毎の記憶部分は、二つのインバータ７１、７２をたすき掛けに接続してなるデータ保持部７３を中心に構成されていて、そのデータ保持部７３の一方のノードに、別のインバータ７４を介して、データ線Ｘｉを構成するいずれかの配線ｄ０〜ｄ５上のデータが供給されるようになっており、データ保持部７３の他方のノードは、ＰＭＯＳトランジスタ７５、…、７５のいずれかのゲートに接続されている。
【０１５６】
そして、本実施の形態では、有機エレクトロルミネッセンス素子１２のそれぞれが、面積の異なる六つの領域から構成されていて、それら六つの領域のそれぞれの面積をＳ１〜Ｓ６とすると、その比は、
Ｓ１：Ｓ２：Ｓ３：Ｓ４：Ｓ５：Ｓ６＝１：２：４：８：１６：３２
となっている。その有機エレクトロルミネッセンス素子１２の各領域には、いずれかのＰＭＯＳトランジスタ７５を介して給電線ＶOエレクトロルミネッセンス から電流が供給可能となっている。
【０１５７】
また、記憶回路７０には、書き込み制御線Ｗｉ、／Ｗｉ上の信号が供給されるとともに、電源線ＶDD、ＶSSの電位が供給されていて、各インバータ７１、７２、７３は電源線ＶDD、ＶSSの電圧をハイレベル及びローレベルとして動作するようになっており、さらに、書き込み制御線Ｗｉがハイレベル（従って、書き込み制御線／Ｗｉがローレベル）の場合には、インバータ７４が活性状態、インバータ７２が不活性状態となり、書き込み制御線Ｗｉがローレベル（従って、書き込み制御線／Ｗｉがハイレベル）の場合には、インバータ７４が不活性状態、インバータ７２が活性状態となる。
【０１５８】
書き込み制御線Ｗｉ、／Ｗｉは、記憶回路７０の各ビットに共通に供給されているから、結局のところ、書き込み制御線Ｗｉがハイレベルの場合には、記憶回路７０のデータ保持部７３とデータ線ｄ０〜ｄ５との間が接続されるとともに、インバータ７２によるデータの保持作用が消えるから、記憶回路７０へのデータの書き込みが可能となり、書き込み制御信号Ｗｉがローレベルの場合には、データ保持部７３とデータ線ｄ０〜ｄ５との間が切り離されるとともに、インバータ７２によるデータの保持作用が有効となって、データ保持部７３のそれぞれに１ビットのデータが保存されるようになる。
【０１５９】
図６に戻り、各書き込み制御線Ｗｉ、／Ｗｉは、行駆動回路としてのワード線駆動回路３５に接続されている。ワード線駆動回路３５は、デコーダ３６と、バッファ３７とで構成されていて、デコーダ３６によって選択された一組の書き込み制御線Ｗｉ、／Ｗｉについては、書き込み制御線Ｗｉはハイレベルで、書き込み制御線／Ｗｉはローレベルとなり、デコーダ３６によって選択されていないその他の書き込み制御線Ｗｉ、／Ｗｉについては、書き込み制御線Ｗｉはローレベルで、書き込み制御線／Ｗｉはハイレベルとなる。
【０１６０】
これに対し、データ線Ｘ１〜Ｘｎのそれぞれは、データ線駆動回路４０に接続されている。データ線駆動回路４０は、デコーダ４５と、入力制御回路４６と、列選択スイッチ部４７とで構成されている。
【０１６１】
デコーダ４５の各出力は、各ドット毎のディジタルデータのビット数ｋ（この例では、ｋ＝６）×３（この３は、画素Ｐを構成するＲ、Ｇ、Ｂの三原色に対応する数字である。）本に分岐されていて、その分岐出力線と、入力制御回路４６の同じくｋ×３本の出力線とが交差しており、デコーダ４５の分岐された出力線と入力制御回路４６の出力線とが一対一に対応するように列選択スイッチ部４７の各スイッチング素子４７ａが配設されている。
【０１６２】
そして、デコーダ４５によって任意の出力が選択されると、その選択された出力の各分岐出力線によって列選択スイッチ部４７の各スイッチング素子４７ａが活性化され、入力制御回路４６の出力はその活性化されたスイッチング素子４７ａによって一組のデータ線（例えば、Ｘ１、Ｘ２及びＸ３）単位で表示画面２０側に供給される。表示画面２０側に供給された画像データは、そのとき選択されている書き込み制御線Ｗｉ、／Ｗｉによって書き込み状態となっている一つの記憶回路７０に書き込まれることになる。
【０１６３】
入力制御回路４６には、メモリコントローラ８０から、ｋ×３ビットの画像信号が供給されるようになっており、そのメモリコントローラ８０は、図示しないＣＰＵによって制御されるようになっている。また、デコーダ３６及び４５は、アドレスバッファ８１によってそれぞれが選択するアドレスが制御されるようになっており、アドレスバッファ８１はタイミングコントローラ８２によって制御されるようになっている。
【０１６４】
そして、データ線駆動回路４０のデコーダ４５にはイネーブル信号ＥnblXが供給され、ワード線駆動回路３５のデコーダ３６にはイネーブル信号ＥnblYが供給されるようになっていて、デコーダ４５及び３６は、ハイレベルのイネーブル信号ＥnblX及びＥnblYが入力されると、全てのデータ線Ｘ１〜Ｘｎを選択し、全ての書き込み制御線Ｗ１〜Ｗｍを選択するようになっており、そのときには、画像信号は全てハイレベルになる。
【０１６５】
そして、本実施の形態でも、副データ線駆動回路５０が設けられていて、その副データ線駆動回路５０には、データ線Ｘ１〜Ｘｎのうち、緑（Ｇ）の発色が可能な有機エレクトロルミネッセンス素子に対応したデータ線Ｘ２、Ｘ５、Ｘ８、…、Ｘ（ｎ−１）に接続されている。但し、データ線Ｘ２、Ｘ５、Ｘ８、…、Ｘ（ｎ−１）のそれぞれに含まれる配線ｄ０〜ｄ５の全てではなく、有機エレクトロルミネッセンス素子１２のうち最大の面積Ｓ６に対応した配線ｄ５のみが、スイッチング素子５２を介して、キャラクタ表示用電圧ＶCHR に接続可能となっている。つまり、本実施の形態にあっても、データ線駆動回路４０には、データ線Ｘ１〜Ｘｎの全てが接続されているが、副データ線駆動回路５０には、データ線Ｘ１〜Ｘｎの一部であるＧの発色が可能な有機エレクトロルミネッセンス素子に対応したデータ線Ｘ２、Ｘ５、Ｘ８、…、Ｘ（ｎ−１）の、さらに一部の配線ｄ５のみが選択的に接続されている。
【０１６６】
本実施の形態にあっては、カラー表示モード期間Ｔ１では、ワード線駆動回路３５及びデータ線駆動回路４０が有効となって、デコーダ３６によって任意の書き込み制御線Ｗｉ、／Ｗｉが選択されるとともに、デコーダ４１によって任意のデータ線Ｘｉが選択され、そのデータ線Ｘｉにｋ×３ビットの画像信号が乗って表示画面２０側に供給される。すると、書き込み制御線Ｗｉ、／Ｗｉによって選択されている画素Ｐに含まれるＲ、Ｇ、Ｂ毎の各記憶回路７０に、データ線Ｘｉ上の画像信号が書き込まれる。
【０１６７】
ここで、例えば、ハイレベルの信号を１、ローレベルの信号を０とし、配線ｄ５に０の信号が供給され、それ以外の配線ｄ０〜ｄ４に１の信号が供給されているものとすると、記憶回路７０のうち配線ｄ５に接続されているインバータ７４の出力は１となり、それ以外の配線ｄ０〜ｄ４に接続されているインバータ７４の出力は０となる。よって、記憶回路７０の各データ保持部７３、…、７３のインバータ７４側のノードには、図７の上側から、１０００００というデータが書き込まれたことになり、そのデータがインバータ７１で反転されてＰＭＯＳトランジスタ７５、…、７５のゲートに供給されるから、有機エレクトロルミネッセンス素子１２の面積Ｓ６に対応するＰＭＯＳトランジスタ７５だけがオンとなり、それ以外のＰＭＯＳトランジスタ７５はオフとなる。その結果、有機エレクトロルミネッセンス素子１２は、面積Ｓ６の部分だけで発光することになるから、全面積（Ｓ１＋Ｓ２＋Ｓ３＋Ｓ４＋Ｓ５＋Ｓ６）に対する発光量は、５０％（＝３２／６３）となる。この発光状態は、記憶回路７０に別のデータが書き込まれる次のタイミングまで継続する。
【０１６８】
つまり、面積Ｓ１〜Ｓ６の比を上記のように設定しているため、データ線Ｘｉから各記憶回路７０に書き込むディジタルデータを適宜設定することにより、各ドット毎に６４階調、従って、各画素Ｐ毎では２６２１４４（＝６４×６４×６４）色の出力が可能となっている。
【０１６９】
そして、単色表示モード期間Ｔ２に移行する際には、上記第１の実施の形態と同様に、イネーブル信号ＥnblX及びＥnblYがハイレベルとなり、画像信号が全てハイレベルとなるため、表示画面２０内の全ての画素が一斉にリセットされる。
【０１７０】
次いで、イネーブル信号ＥnblX及びＥnblYがローレベルに戻った後には、データ線駆動回路４０に代えて、副データ線駆動回路５０が有効となる。
【０１７１】
よって、デコーダ３６によって任意の書き込み制御線Ｗｉが選択されるとともに、デコーダ５１によりＧに対応した任意のデータ線Ｘ２、Ｘ５、Ｘ８、…、の配線ｄ５と、電源配線５３との間が任意のタイミングで接続されることになるから、任意の画素Ｐを、発光量５０％（＝３２／６３）のＧで発光させることができ、それを利用して所望のキャラクタを表示することができる。
【０１７２】
このように、上記第１の実施の形態ではアナログデータ、この第３の実施の形態ではディジタルデータ、という違いはあるものの、本実施の形態であっても、上記第１の実施の形態と同様の作用効果が得られる。
【０１７３】
なお、この第３の実施の形態では、いわゆる面積階調方式により各ドットの発光量に階調を与えるようにしているが、複数種類の外部アナログ電圧を利用してドット毎に階調を与える方式も採用可能である。
【０１７４】
図８は、外部アナログ電圧利用階調方式の一例を示す図であって、一つのドット分を示している。即ち、各ドットは、複数（この例では、４つ）の有機エレクトロルミネッセンス素子１２を有しており、各有機エレクトロルミネッセンス素子１２毎に、ＰＭＯＳトランジスタ１３、ＮＭＯＳトランジスタ１４及び保持容量１５が設けられていて、ＮＭＯＳトランジスタのゲートには行方向配線としての共通のワード線Ｗが接続され、ＮＭＯＳトランジスタのソースには別々の配線ｄ０〜ｄ３が接続されている。
【０１７５】
そして、ＰＭＯＳトランジスタ１３の有機エレクトロルミネッセンス素子１２とは逆側並びに保持容量１５のＮＭＯＳトランジスタ１４とは逆側は、別々の共通給電線ＶOエレクトロルミネッセンス1〜ＶOエレクトロルミネッセンス4に接続されていて、それら共通給電線ＶOエレクトロルミネッセンス1〜ＶOエレクトロルミネッセンス4の電圧は、図９に示すように、それらの電圧によって得られる有機エレクトロルミネッセンス素子１２の輝度Ｂ１〜Ｂ４が、
Ｂ１：Ｂ２：Ｂ３：Ｂ４＝１：２：４：８
となるように設定されている。
【０１７６】
このような構成であると、各ドット毎に、有機エレクトロルミネッセンス素子１２を全て発光させた場合の輝度を１５とすると、例えば、配線ｄ０に対応した有機エレクトロルミネッセンス素子１２だけを発光させれば輝度は１／１５、配線ｄ４に対応した有機エレクトロルミネッセンス素子１２だけを発光させれば輝度は８／１５、配線ｄ０に対応した有機エレクトロルミネッセンス素子１２及び配線ｄ１に対応した有機エレクトロルミネッセンス素子１２を発光させれば輝度は３／１５、という具合になるから、各ドット毎に１６階調が得られることになる。
【０１７７】
よって、このような階調方式を第３の実施の形態の図７の構成に代えて採用したとしても、その第３の実施の形態と同様の効果が発揮できる。
なお、上述の実施形態において、データ線駆動回路、副データ線駆動回路、走査線駆動回路、及び副走査線駆動回路のそれぞれを、データ線及び走査線が配置された基体内に配置するか、データ線及び走査線が配置された基体と別体にして配置するかについては、仕様等などに対応して適宜選択することができる。また、上記の駆動回路のそれぞれに含まれるトランジスタとしては、シリコンベースのトランジスタ及び薄膜トランジスタのいずれも使用可能であるが、駆動回路をデータ線及び走査線が配置された基体内に配置する場合は、薄膜トランジスタにより駆動回路を構成することが好ましい場合がある。一方、駆動回路をデータ線及び走査線が配置された基体と別体にして配置する場合は、シリコンベースのトランジスタを駆動回路のトランジスタとして用いることが好ましい場合がある。
【０１７８】
データ線駆動回路、副データ線駆動回路、走査線駆動回路、及び副走査線駆動回路のうちいくつかを一体にしてデータ線または走査線の制御用半導体装置として配置することも可能である。
【０１７９】
＜電子ブック＞
先ず、本発明を電子機器である電子ブックに適用した例について説明する。図１０に示すように、電子ブック９１は、ＣＤＲＯＭ等の記憶媒体に格納される電子出版に係る書籍などのデータを表示装置の表示画面に表示して読むようにしたものである。
【０１８０】
この電子ブック９１は、ブック形状のフレーム９２と、このフレーム９２に開閉可能なカバー９３とを有している。フレーム９２には、その表面に表示面を露出させた状態の表示装置９４と、操作部９５とが設けられている。
【０１８１】
この電子ブック９１は、表示装置９４が上述した有機エレクトロルミネッセンス表示装置１０に基づいて構成されており、図示しないドライバにより表示装置９４が駆動されるようになされている。
【０１８２】
＜モバイル型コンピュータ＞
次に、電子機器であるモバイル型のパーソナルコンピュータに適用した例について説明する。図１１は、このパーソナルコンピュータの構成を示す斜視図である。パーソナルコンピュータ１００は、図１１に示すように、キーボード１０２を備えた本体部１０４と、上述した有機エレクトロルミネッセンス表示装置１０に基づいて構成された表示装置１０６とから構成されている。
【０１８３】
＜携帯電話＞
次に、電子機器である携帯電話の表示部に適用した例について説明する。図１２は、この携帯電話２００の構成を示す斜視図である。この携帯電話２００は、図１２に示すように、複数の操作ボタン２０２のほか、受話口２０６、送話口２０４とともに、上述した有機エレクトロルミネッセンス表示装置１０に基づいて構成された表示装置６４を備えている。
【０１８４】
＜ディジタルスチルカメラ＞
さらに、ファインダに用いたディジタルスチルカメラに適用した例ついて説明する。図１３は、このディジタルスチルカメラ３００の構成を示す斜視図であるが、外部機器との接続についても簡易的に示すものである。
【０１８５】
通常のカメラは、被写体の光像によってフィルムを感光するのに対し、ディジタルスチルカメラ３００は、被写体の光像をＣＣＤ（Charge Coupled Device）などの撮像素子により光電変換して撮像信号を生成するものである。
【０１８６】
ディジタルスチルカメラ３００におけるケース３０２の背面には、上述した有機エレクトロルミネッセンス表示装置１０に基づいて構成された表示装置３０４が設けられ、ＣＣＤによる撮像信号に基づいて、表示を行う構成となっている。このため、表示装置３０４は、被写体を表示するファインダとして機能する。また、ケース３０２の観察側（図においては裏面側）には、光学レンズやＣＣＤなどを含んだ受光ユニット３０６が設けられている。
【０１８７】
ここで、撮影者が表示装置３０４に表示された被写体像を確認して、シャッタボタン３０８を押下すると、その時点におけるＣＣＤの撮像信号が、回路基板３１０のメモリに転送・格納される。
【０１８８】
また、このディジタルスチルカメラ３００にあっては、ケース３０２の側面に、ビデオ信号出力端子３１２と、データ通信用の入出力端子３１４とが設けられている。そして、図示のように、前者のビデオ信号出力端子３１２にはテレビモニタ４３０が、また、後者のデータ通信用の入出力端子３１４にはパーソナルコンピュータ４４０が、それぞれ必要に応じて接続される。さらに、所定の操作によって、回路基板３１０のメモリに格納された撮像信号が、テレビモニタ４３０や、パーソナルコンピュータ４４０に出力される構成となっている。
【０１８９】
なお、電子機器としては、図１０の電子ブック９１、図１１のパーソナルコンピュータ１００、図１２の携帯電話２００、図１３のディジタルスチルカメラ３００の他にも、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、上述した表示装置が適用可能なのは言うまでもない。
【０１９０】
以上のように、本発明について、複数の実施の形態を挙げて説明した。しかし、本発明は上述の実施の形態に適用されることに限定されるものではない。
【０１９１】
すなわち、上述の実施の形態では、副データ線駆動回路５０には、データ線の一部が選択的に接続されて構成しているが、副データ線駆動回路５０には、データ線の全てを接続して構成されていてもよい。
【０１９２】
また、上述の実施の形態において、データ線駆動回路４０及び副データ線駆動回路５０は、それぞれ接続されているデータ線に対応した電圧（値）を出力しているが、電流（値）を出力することもできる。
【０１９３】
また、上述の実施の形態では、副データ線駆動回路５０は、キャラクタ表示をする場合について説明しており、具体的には、文字表示、携帯電話における電波強度の表示、日付、カレンダ、デスクトップパターン等、静止画や簡易な表示を行うデータ線の駆動回路や断線等の検査回路或いはプリチャージ回路等として利用できる。
【０１９４】
さらに、副データ線駆動回路５０は、データ線駆動回路４０とともに動作させてもよく、副データ線駆動回路５０の出力とデータ線駆動回路４０の出力を重ね合わせることで、例えば、いわゆるスーパーインポーズ等のような画像処理効果を得ることができる。
【０１９５】
この場合、例えば、図１４中（Ａ）に示すような一画面分の走査線を駆動させるための水平走査信号の出力がなされている場合に、その期間内に、データ線駆動回路４０からの出力と、副データ線駆動回路５０からの出力とを分ける、具体的には、図１４中（Ｂ）に示すように、その水平走査期間（水平走査線駆動期間）における、その前半にデータ線駆動回路４０からデータ信号▲１▼を出力する一方で、図１４中（Ｃ）に示すように、その後半に副データ線駆動回路４０に切り替えて、この副データ線駆動回路４０データからデータ信号▲２▼を出力する。また、この場合、データ信号▲１▼及びデータ信号▲２▼の供給期間（データ線の駆動タイミング）については適宜設定することができ、例えば、この図に示すように、データ信号▲１▼の供給期間をデータ信号▲２▼の供給期間よりも長く設定する。例えば、データ信号▲１▼が画像信号或いは動画信号であり、データ信号▲２▼が簡単な情報からなる場合に、データ信号▲１▼の供給期間をデータ信号▲２▼の供給期間よりも長く設定する。
【０１９６】
このような構成において、副データ線駆動回路５０によりキャラクタ文字表示させると、最初の絵の上にキャラクタ文字表示が重なっているように表示されるようになる。
【０１９７】
例えば、従来は、オリジナルの画像データ（メモリ上にあるデータ）を直接電気的に加工していたが、上述のように表示することで、そのように加工する場合に比べて構成を極めて簡単にして同等な画像処理効果を得ることができるようになる。
【０１９８】
なお、データ線駆動回路４０と副データ線駆動回路５０とによるデータ線Ｘ１〜Ｘｎの駆動タイミングについては、水平走査期間内に先に副データ線駆動回路５０によりなされるようにしてもよく、或いは前記水平走査期間内にデータ線駆動回路４０と副データ線駆動回路５０とを交互に動作させてデータ線Ｘ１〜Ｘｎを駆動するようにしてもよい。
【０１９９】
また、上述の実施の形態では、データ線駆動回路４０或いは副データ線駆動回路５０は、ラッチ回路を含んで構成してもよい。図１５には、上述の第１の実施の形態の有機エレクトロルミネッセンス表示装置１０が２段として第１及び第２のラッチ回路８１，８２を備えていている場合のものを示している。
【０２００】
このような構成とされた有機エレクトロルミネッセンス表示装置において、デジタルデータは、データ線Ｘ１〜Ｘｎに対応した複数のスイッチング素子８４、…、８４がシフトレジスタ４１のシフト動作に同期して順次選択されることで、データ供給線Ｄ１〜Ｄｍからパラレル供給される。そして、そのデータは、第１のラッチ回路８１にてサンプリングされて、さらに第２のラッチ回路８２に転送されてそこでいったんストアされて、Ｄ／Ａコンバータ回路８３を介して、対応する各データ線Ｘ１〜Ｘｎに出力される。
【０２０１】
この有機エレクトロルミネッセンス表示装置１０は、データ線Ｘ１〜Ｘｎへの出力段にラッチ回路を配置することで、例えば、アドレス線を設けることなく、所望のデータ線を駆動させることができるようになる。
【０２０２】
また、上述の第１の実施の形態では、副データ線駆動回路５０をデコーダ５１を設けて構成しているが、デコーダ５１に代えて、シフトレジスタを採用することも可能である。シフトレジスタを採用した場合、単色表示モード期間Ｔ２でもデータ線Ｘ２、Ｘ５、Ｘ８、…、Ｘ（ｎー１）を順に駆動させることが必要となるが、デコーダ５１に比べて配線が簡単で済むから、副データ線駆動回路５０によってデータ線を順に駆動させても消費電力がそれほど大きくならない場合、例えば、画素数がそれほど大きくない場合には採用する価値がある。
【０２０３】
また、上述の第２の実施の形態においても、デコーダ５１及び６１のいずれか一方或いは両方を、シフトレジスタで置き換えることも可能であり、そのようなシフトレジスタを利用した構成は、上記と同様に副データ線駆動回路５０や副走査線駆動回路６０によってデータ線や走査線を順に駆動させても消費電力がそれほど大きくならない場合、例えば、画素数がそれほど大きくない場合には採用する価値がある。
【０２０４】
また、上述の実施の形態では、電気光学装置が有機エレクトロルミネッセンス表示装置である場合について説明している。しかし、これに限定されるものではなく、電気光学装置が、液晶装置や液相分散と電気泳動粒子とを含む泳動分散媒が収容されてなる電気泳動装置であってもよい。要は、本発明が適用された電気光学装置は、格子状に配線された複数のデータ線及び走査線と、データ線と走査線との各交差部に対応して配置された電気光学素子と、を備えた電気光学装置であって、データ線を駆動可能なデータ線駆動回路と、前記データ線駆動回路とは別に前記データ線を駆動可能な副データ線駆動回路と、を備えていることを特徴とするものである。
【０２０５】
【発明の効果】
以上説明したように、本発明によれば、副データ線駆動回路を設ける構成、若しくは副データ線駆動回路及び副行駆動回路の両方を設ける構成としたため、データ線駆動回路や走査線駆動回路或いは行駆動回路だけで表示制御、断線等の検査或いはプリチャージを行う場合に比べて、消費電力を低減することができるという効果がある。
【０２０６】
特に、請求項１、７、１１、１６、１７、１８、２６、３０、３５、３６、３７、４３、４５、５０、５２、５３、５４に係る発明であれば、消費電力をより顕著に低減することが可能である。
【図面の簡単な説明】
【図１】本発明の第１の実施の形態を示す回路図である。
【図２】第１の実施の形態の作用を説明するための波形図である。
【図３】有機エレクトロルミネッセンス材料の発光輝度の特性図である。
【図４】有機エレクトロルミネッセンス材料の発光効率の特性図である。
【図５】本発明の第２の実施の形態を示す回路図である。
【図６】本発明の第３の実施の形態の示す回路図である。
【図７】第３の実施の形態の各ドット毎の構成を示す回路図である。
【図８】第３の実施の形態の変形例を示す回路図である。
【図９】図８の構成における各外部電源の電圧と輝度との関係を示す図である。
【図１０】本発明の実施の形態の電子機器の例である電子ブックの外観構成を示す斜視図である。
【図１１】上記電子機器の例であるコンピュータの外観構成を示す斜視図である。
【図１２】上記電子機器の例である携帯電話の外観構成を示す斜視図である。
【図１３】上記電子機器の例であるディジタルスチルカメラの外観構成を示す斜視図である。
【図１４】データ線駆動回路の出力と副データ線駆動回路の出力とを重ねることの説明に使用した図である。
【図１５】上記第１の実施の形態のデータ線駆動回路にラッチ回路を含んだ構成を示す回路図である。
【図１６】従来の構成を示す回路図である。
【符号の説明】
１０  有機エレクトロルミネッセンス表示装置
２０  表示画面
３０  走査線駆動回路（行駆動回路）
３２  バッファ
３３  デコーダ
４０  データ線駆動回路
４１  シフトレジスタ
４２  スイッチング素子
５０  副データ線駆動回路
５１  デコーダ
５２  スイッチング素子
６０  副走査線駆動回路（副行駆動回路）
６１  デコーダ
６２  バッファ
９１  電子ブック
１００  パーソナルコンピュータ
２００  携帯電話
３００  デジタルスチルカメラ
Ｘ１〜Ｘ１２  データ線
Ｙ１〜Ｙ７  走査線（行方向配線）
【図１】
0003797174.tif 000002
【図２】
0003797174.tif 000003
【図３】
0003797174.tif 000004
【図４】
0003797174.tif 000005
【図５】
0003797174.tif 000006
【図６】
0003797174.tif 000007
【図７】
0003797174.tif 000008
【図８】
0003797174.tif 000009
【図９】
0003797174.tif 000010
【図１０】
0003797174.tif 000011
【図１１】
0003797174.tif 000012
【図１２】
0003797174.tif 000013
【図１３】
0003797174.tif 000014
【図１４】
0003797174.tif 000015
【図１５】
0003797174.tif 000016
【図１６】
0003797174.tif 000017